【手続補正書】
【提出日】平成22年5月31日(2010.5.31)
【手続補正１】
【補正対象書類名】特許請求の範囲
【補正対象項目名】全文
【補正方法】変更
【補正の内容】
【特許請求の範囲】
【請求項１】
複数の第１のコネクタが配置された第１の接続対象と、前記第１のコネクタと着脱自在な第２のコネクタが設けられた複数の中継部材と、前記第１のコネクタに前記第２のコネクタが接続された状態で前記第１の接続対象に接続される複数の第２の接続対象とを有する機器に適用され、前記第１の接続対象と前記第２の接続対象との接続状態を検知する接続検知装置であって、
前記複数の中継部材にそれぞれ含まれる接続検知用信号線と直列に前記第２の接続対象毎に抵抗値の異なるプルダウン用の抵抗器を介在させ、前記接続検知用信号線の一端を第１の電位に接続するプルダウン手段と、
前記第１のコネクタと前記第２のコネクタが接続された場合に前記接続検知用信号線の他端に接続される、前記第１のコネクタの端子に繋がる電圧検知信号線を、プルアップ用の抵抗器を介して前記第１の電位より高い第２の電位に接続するプルアップ手段と、
前記電圧検知信号線の電圧を検知する電圧検知手段と、
前記検知された前記電圧検知信号線の電圧に基づいて、前記第１のコネクタと前記第２のコネクタの接続状態を判定する接続状態判定手段とを備えたことを特徴とする接続検知装置。
【請求項２】
第２の接続対象側コネクタが設けられた複数の第２の接続対象と、前記第２の接続対象側コネクタと着脱自在な中継部材側コネクタが設けられた複数の中継部材と、前記第２の接続対象側コネクタに前記中継部材側コネクタが接続された状態で前記第２の接続対象に接続される第１の接続対象とを有する機器に適用され、前記第１の接続対象と前記第２の接続対象との接続状態を検知する接続検知装置であって、
前記複数の中継部材にそれぞれ含まれる接続検知用信号線と直列に前記第２の接続対象毎に抵抗値の異なるプルダウン用の抵抗器を介在させ、前記第２の接続対象側コネクタと前記中継部材側コネクタが接続された場合に前記接続検知用信号線の一端に接続される、前記第２の接続対象側コネクタの端子に繋がる低電位信号線を第１の電位に接続するプルダウン手段と、
前記接続検知用信号線の他端に繋がる電圧検知信号線を、プルアップ用の抵抗器を介して第２の電位に接続するプルアップ手段と、
前記電圧検知信号線の電圧を検知する電圧検知手段と、
前記検知された前記電圧検知信号線の電圧に基づいて、前記第２の接続対象側コネクタと前記中継部材側コネクタの接続状態を判定する接続状態判定手段とを備えたことを特徴とする接続検知装置。
【請求項３】
複数の第１のコネクタが配置された第１の接続対象と、第３のコネクタが設けられた複数の第２の接続対象と、前記第１のコネクタと着脱自在な第２のコネクタ、および前記第３のコネクタと着脱自在な第４のコネクタが設けられた複数の中継部材とを有し、前記第１のコネクタに前記第２のコネクタが接続され、かつ前記第３のコネクタに前記第４のコネクタが接続された状態で前記第２の接続対象が前記第１の接続対象に接続される機器に適用され、前記第１の接続対象と前記第２の接続対象との接続状態を検知する接続検知装置であって、
前記複数の中継部材にそれぞれ含まれる接続検知用信号線と直列に前記第２の接続対象毎に抵抗値の異なるプルダウン用の抵抗器を介在させ、前記第３のコネクタと前記第４のコネクタが接続された場合に前記接続検知用信号線の一端に接続される、前記第３のコネクタの端子に繋がる低電位信号線を第１の電位に接続するプルダウン手段と、
前記第１のコネクタと前記第２のコネクタが接続された場合に前記接続検知用信号線の他端に接続される、前記第１のコネクタの端子に繋がる電圧検知信号線を、プルアップ用の抵抗器を介して第２の電位に接続するプルアップ手段と、
前記電圧検知信号線の電圧を検知する電圧検知手段と、
前記検知された前記電圧検知信号線の電圧に基づいて、前記第１のコネクタと前記第２のコネクタの接続状態、および前記第３のコネクタと前記第４のコネクタの接続状態を判定する接続状態判定手段とを備えたことを特徴とする接続検知装置。
【請求項４】
前記プルアップ手段、前記電圧検知手段および前記接続状態判定手段は、前記第１の接続対象に搭載されることを特徴とする請求項１乃至３のいずれかに記載の接続検知装置。
【請求項５】
前記プルアップ手段、前記電圧検知手段および前記接続状態判定手段は、前記第１の接続対象とは別の電源を有する検査装置に搭載されることを特徴とする請求項１乃至３のいずれかに記載の接続検知装置。
【請求項６】
前記機器は画像形成装置であり、前記複数の第２の接続対象のうち少なくとも１つは前記画像形成装置における消耗品を収納するカートリッジであることを特徴とする請求項１乃至５のいずれかに記載の接続検知装置。
【請求項７】
第１の接続対象と複数の第２の接続対象との接続状態を検知する接続検知装置であって、
前記第１の接続対象と前記複数の第２の接続対象との間に接続自在に、前記第２の接続対象毎に設けられ、第１の電位に接続された複数の接続検知用信号線と、
前記第２の接続対象毎に設けられ、前記複数の接続検知用信号線の途中でそれぞれ前記接続検知用信号線に直列接続された、前記第２の接続対象毎に抵抗値の異なる複数の第１の抵抗器と、
一端が前記複数の接続検知用信号線に接続され、他端が前記第１の電位と異なる第２の電位に接続された第２の抵抗器と、
前記複数の第１の抵抗器と前記第２の抵抗器との接続点の電圧を検知する電圧検知手段と、
前記電圧検知手段により検知された電圧に基づいて、前記第１の接続対象と前記複数の第２の接続対象の接続状態を判定する接続状態判定手段とを備えたことを特徴とする接続検知装置。
【手続補正２】
【補正対象書類名】明細書
【補正対象項目名】００１２
【補正方法】変更
【補正の内容】
【００１２】
上記目的を達成するために、本発明の接続検知装置は、複数の第１のコネクタが配置された第１の接続対象と、前記第１のコネクタと着脱自在な第２のコネクタが設けられた複数の中継部材と、前記第１のコネクタに前記第２のコネクタが接続された状態で前記第１の接続対象に接続される複数の第２の接続対象とを有する機器に適用され、前記第１の接続対象と前記第２の接続対象との接続状態を検知する接続検知装置であって、前記複数の中継部材にそれぞれ含まれる接続検知用信号線と直列に前記第２の接続対象毎に抵抗値の異なるプルダウン用の抵抗器を介在させ、前記接続検知用信号線の一端を第１の電位に接続するプルダウン手段と、前記第１のコネクタと前記第２のコネクタが接続された場合に前記接続検知用信号線の他端に接続される、前記第１のコネクタの端子に繋がる電圧検知信号線を、プルアップ用の抵抗器を介して前記第１の電位より高い第２の電位に接続するプルアップ手段と、前記電圧検知信号線の電圧を検知する電圧検知手段と、前記検知された前記電圧検知信号線の電圧に基づいて、前記第１のコネクタと前記第２のコネクタの接続状態を判定する接続状態判定手段とを備えたことを特徴とする。
【手続補正３】
【補正対象書類名】明細書
【補正対象項目名】００１３
【補正方法】変更
【補正の内容】
【００１３】
また、本発明の接続検知装置は、第２の接続対象側コネクタが設けられた複数の第２の接続対象と、前記第２の接続対象側コネクタと着脱自在な中継部材側コネクタが設けられた複数の中継部材と、前記第２の接続対象側コネクタに前記中継部材側コネクタが接続された状態で前記第２の接続対象に接続される第１の接続対象とを有する機器に適用され、前記第１の接続対象と前記第２の接続対象との接続状態を検知する接続検知装置であって、前記複数の中継部材にそれぞれ含まれる接続検知用信号線と直列に前記第２の接続対象毎に抵抗値の異なるプルダウン用の抵抗器を介在させ、前記第２の接続対象側コネクタと前記中継部材側コネクタが接続された場合に前記接続検知用信号線の一端に接続される、前記第２の接続対象側コネクタの端子に繋がる低電位信号線を第１の電位に接続するプルダウン手段と、前記接続検知用信号線の他端に繋がる電圧検知信号線を、プルアップ用の抵抗器を介して第２の電位に接続するプルアップ手段と、前記電圧検知信号線の電圧を検知する電圧検知手段と、前記検知された前記電圧検知信号線の電圧に基づいて、前記第２の接続対象側コネクタと前記中継部材側コネクタの接続状態を判定する接続状態判定手段とを備えたことを特徴とする。
【手続補正４】
【補正対象書類名】明細書
【補正対象項目名】００１４
【補正方法】変更
【補正の内容】
【００１４】
また、本発明の接続検知装置は、複数の第１のコネクタが配置された第１の接続対象と、第３のコネクタが設けられた複数の第２の接続対象と、前記第１のコネクタと着脱自在な第２のコネクタ、および前記第３のコネクタと着脱自在な第４のコネクタが設けられた複数の中継部材とを有し、前記第１のコネクタに前記第２のコネクタが接続され、かつ前記第３のコネクタに前記第４のコネクタが接続された状態で前記第２の接続対象が前記第１の接続対象に接続される機器に適用され、前記第１の接続対象と前記第２の接続対象との接続状態を検知する接続検知装置であって、前記複数の中継部材にそれぞれ含まれる接続検知用信号線と直列に前記第２の接続対象毎に抵抗値の異なるプルダウン用の抵抗器を介在させ、前記第３のコネクタと前記第４のコネクタが接続された場合に前記接続検知用信号線の一端に接続される、前記第３のコネクタの端子に繋がる低電位信号線を第１の電位に接続するプルダウン手段と、前記第１のコネクタと前記第２のコネクタが接続された場合に前記接続検知用信号線の他端に接続される、前記第１のコネクタの端子に繋がる電圧検知信号線を、プルアップ用の抵抗器を介して第２の電位に接続するプルアップ手段と、前記電圧検知信号線の電圧を検知する電圧検知手段と、前記検知された前記電圧検知信号線の電圧に基づいて、前記第１のコネクタと前記第２のコネクタの接続状態、および前記第３のコネクタと前記第４のコネクタの接続状態を判定する接続状態判定手段とを備えたことを特徴とする。
また、本発明の接続検知装置は、第１の接続対象と複数の第２の接続対象との接続状態を検知する接続検知装置であって、前記第１の接続対象と前記複数の第２の接続対象との間に接続自在に、前記第２の接続対象毎に設けられ、第１の電位に接続された複数の接続検知用信号線と、前記第２の接続対象毎に設けられ、前記複数の接続検知用信号線の途中でそれぞれ前記接続検知用信号線に直列接続された、前記第２の接続対象毎に抵抗値の異なる複数の第１の抵抗器と、一端が前記複数の接続検知用信号線に接続され、他端が前記第１の電位と異なる第２の電位に接続された第２の抵抗器と、前記複数の第１の抵抗器と前記第２の抵抗器との接続点の電圧を検知する電圧検知手段と、前記電圧検知手段により検知された電圧に基づいて、前記第１の接続対象と前記複数の第２の接続対象の接続状態を判定する接続状態判定手段とを備えたことを特徴とする。
【手続補正５】
【補正対象書類名】明細書
【補正対象項目名】００１５
【補正方法】変更
【補正の内容】
【００１５】
本発明の請求項１に係る接続検知装置では、複数の中継部材にそれぞれ含まれる接続検知用信号線と直列に第２の接続対象毎に抵抗値の異なるプルダウン用の抵抗器を介在させ、接続検知用信号線の一端を第１の電位に接続しておく。また、第１のコネクタと第２のコネクタが接続された場合に接続検知用信号線の他端に接続される、第１のコネクタの端子に繋がる電圧検知信号線を、プルアップ用の抵抗器を介して第２の電位に接続しておく。そして、電圧検知信号線の電圧を検知し、この検知された電圧検知信号線の電圧に基づいて、第１のコネクタと第２のコネクタの接続状態を判定する。これにより、１つの接続検知用信号の電圧で複数のコネクタ接続状態を同時に検知することができる。このように、第１の制御対象に配置された複数の第１のコネクタと複数の中継部材に設けられた第２のコネクタとの各コネクタ接続状態を検知することができる。
【手続補正６】
【補正対象書類名】明細書
【補正対象項目名】００１６
【補正方法】変更
【補正の内容】
【００１６】
請求項２に係る接続検知装置では、複数の中継部材にそれぞれ含まれる接続検知用信号線と直列にプルダウン用の抵抗器を介在させ、第２の接続対象側コネクタと中継部材側コネクタが接続された場合に接続検知用信号線の一端に接続される、第２の接続対象側コネクタの端子に繋がる低電位信号線を第１の電位に接続しておく。また、接続検知用信号線の他端に繋がる電圧検知信号線を、プルアップ用の抵抗器を介して第２の電位に接続しておく。そして、電圧検知信号線の電圧を検知し、この検知された電圧検知信号線の電圧に基づいて、第２の接続対象側コネクタと中継部材側コネクタの接続状態を判定する。これにより、複数の第２の制御対象に設けられた第２の接続対象側コネクタと複数の中継部材に設けられた中継部材側コネクタとの各コネクタ接続状態を検知することができる。
【手続補正７】
【補正対象書類名】明細書
【補正対象項目名】００１７
【補正方法】変更
【補正の内容】
【００１７】
請求項３に係る接続検知装置では、複数の中継部材にそれぞれ含まれる接続検知用信号線と直列にプルダウン用の抵抗器を介在させ、第３のコネクタと第４のコネクタが接続された場合に接続検知用信号線の一端に接続される、第３のコネクタの端子に繋がる低電位信号線を、第１の電位に接続しておく。また、第１のコネクタと第２のコネクタが接続された場合に接続検知用信号線の他端に接続される、第１のコネクタの端子に繋がる電圧検知信号線を、プルアップ用の抵抗器を介して第２の電位に接続しておく。そして、接続検知装置内の電圧検知手段が前記電圧検知信号線の電圧を検知し、この検知された電圧検知信号線の電圧に基づいて、第１のコネクタと第２のコネクタの接続状態、および第３のコネクタと第４のコネクタの接続状態を判定する。これにより、第１の制御対象に配置された複数の第１のコネクタと複数の中継部材に設けられた第２のコネクタとのコネクタ接続状態を検知することができる。さらに、複数の第２の制御対象に設けられた第３のコネクタと複数の中継部材に設けられた第４のコネクタとのコネクタ接続状態を検知することができる。
請求項７に係る接続検知装置では、前記第１の接続対象と複数の第２の接続対象との間に接続自在に、第２の接続対象毎に設けられた複数の接続検知用信号線を第１の電位に接続する。また、第２の接続対象毎に設けられた、第２の接続対象毎に抵抗値の異なる複数の第１の抵抗器を、それぞれ複数の接続検知用信号線の途中で接続検知用信号線に直列接続する。また、第２の抵抗器の一端を複数の第１の抵抗器に、他端を第１の電位と異なる第２の電位に接続する。そして、複数の第１の抵抗器と第２の抵抗器との接続点の電圧を検知し、検知した電圧に基づいて、第１の接続対象と複数の第２の接続対象の接続状態を判定する。これにより、複数の第２の接続対象の接続状態を同時に検知することができる。